(57)【要約】      （修正有）【課題】写真処理装置において、現像処理部の搬送ローラのクリーニングが同時に行なえる方法を提供する。【解決手段】写真処理装置の現像処理部にコントロールストリップスペーパーにリーダーをスプライスして成るコントロールストリップス部材を搬送装置を介して搬送し処理液の状態を判定する時に、リーダを搬送ローラのローラ面における印画紙の搬送に使用される搬送領域の最大幅に相当する幅のシート材から構成することで、リーダーにより搬送ローラのローラ面をクリーニングするようにした。【選択図】図２
2006072056.tif 000002
【特許請求の範囲】
【請求項１】
搬送ローラを備えた搬送装置と、この搬送装置により搬送される写真感光材料を現像処理するための現像処理部とが備えられた写真処理装置の前記現像処理部に、コントロールストリップスペーパーにリーダをスプライスして成るコントロールストリップス部材を前記搬送装置を介して搬送して、処理液の状態を判定するようにした写真処理装置において、
前記リーダが、前記搬送ローラのローラ面における感光材料の搬送に使用される搬送領域の最大幅に相当する幅のシート材から構成され、このリーダーをスプライスしたコントロールスリップスペーパーを搬送装置を介して現像処理部に搬送して、前記リーダーにより搬送ローラのローラ面をクリーニングするようにしていることを特徴とする搬送ローラのクリーニング方法。
【請求項２】
リーダーをスプライスしたコントロールストリップスペーパーを写真処理装置における搬送ローラ対を備えた搬送装置を介して現像処理部に搬送して、処理液の状態を判定するための写真処理装置用コントロールストリップス部材において、
前記リーダが、前記搬送ローラのローラ面における感光材料の搬送に使用される搬送領域の最大幅に相当する幅のシート材から構成されていることを特徴とする写真処理装置用コントロールスリップス用部材。
【請求項３】
リーダーを構成するシート材の表面に搬送ローラ対のローラー面の清掃機能が付与されていることを特徴とする請求項２に記載の写真処理装置用コントロールストリップス用部材。
【発明の詳細な説明】
【技術分野】
【０００１】
本発明は、画像が焼き付けられた写真感光材料を搬送するための搬送ローラを備えた搬送装置とこの搬送装置により搬送される感光材料を現像処理するための現像処理部が備えられた写真処理装置で使用されるコントロールストリップス部材及びこのコントロールストリップス部材による搬送装置の搬送ローラのクリーニング方法に関する。
【背景技術】
【０００２】
一般にこの種の写真処理装置は、写真感光材料である例えば印画紙を搬送するための搬送ローラを備えた搬送装置と、画像を印画紙に焼き付けるための焼付処理部と、焼付処理部で焼付け処理された印画紙を現像処理するための現像処理部と、現像された印画紙を乾燥処理するための乾燥処理部とが備えられ、搬送装置により搬送される印画紙に先ず焼き付け処理部で画像を焼付けた後、その印画紙を搬送装置により現像処理部に搬送して、この現像処理部で現像処理し、続いて乾燥処理部で乾燥してプリントを仕上げるようにしている。
【０００３】
ところで、以上の写真処理装置では、例えばサービスサイズなどの幅の狭い印画紙を主として処理している場合などにおいて、前述の幅狭の印画紙が通過しない搬送ローラのローラ面の両側部位には、時間の経過と共に処理液から発生する汚れがつき易く、そのため、サービスサイズよりも幅の広い印画紙を処理しようとすると、搬送ローラのローラー面の汚れがその印画紙に付着する不具合がある。
【０００４】
そのため、従来では、例えば写真処理装置の運転開始時に、搬送ローラのローラ面の最大使用領域をカバー出来る幅広の印画紙や専用のクリーニングシートを搬送装置により搬送して、これら印画紙やクリーニングシートで搬送ローラのローラ面の汚れを除去した後、通常の写真処理作業を行なうようにしている。（特許文献１参照）
しかしながら以上の方法では、搬送ローラの清掃のための印画紙やクリーニングシートが別途必要となるのは勿論のこと、通常の写真処理作業以外に、幅広の印画紙や専用のクリーニングシートを搬送装置により搬送して搬送ローラを清掃する作業工程が増えてしまう不具合がある。
【特許文献１】特開平７−２８７３７８号公報
【発明の開示】
【発明が解決しようとする課題】
【０００５】
本発明は以上の実情に鑑みて開発したものであって、以上の写真処理装置では、コントロールストリップスペーパーにリーダーをスプライスして成るコントロールストリップス部材を別途用意し、このコントロールストリップス部材を定期的に搬送装置を介して現像処理部に搬送して、現像処理部の処理液の状態を判定するようにしていることに着目し、目的とするところは、前述のコントロールストリップス部材による処理液の判定作業に際して、搬送ローラのローラ面の使用領域全面のクリーニングが同時に行なえる写真処理装置用コントロールストリップス部材及び写真処理装置用コントロールストリップス部材による搬送ローラのクリーニング方法を提供することにある。
【課題を解決するための手段】
【０００６】
以上の目的を達成するために、請求項１に記載の発明は、搬送ローラを備えた搬送装置と、この搬送装置により搬送される写真感光材料を現像処理するための現像処理部とが備えられた写真処理装置の前記現像処理部に、コントロールストリップスペーパーにリーダーをスプライスして成るコントロールストリップス部材を前記搬送装置を介して搬送して、処理液の状態を判定するようにした写真処理装置において、
前記リーダが、前記搬送ローラのローラ面における感光材料の搬送に使用される搬送領域の最大幅に相当する幅のシート材から構成され、このリーダーをスプライスしたコントロールスリップスペーパーを搬送装置を介して現像処理部に搬送して、前記リーダーにより搬送ローラのローラ面をクリーニングするようにしていることを特徴とするものである。
【０００７】
また請求項２に記載の発明は、リーダーをスプライスしたコントロールストリップスペーパーを写真処理装置における搬送ローラ対を備えた搬送装置を介して現像処理部に搬送して、処理液の状態を判定するための写真処理装置用コントロールストリップ部材において、前記リーダが、前記搬送ローラのローラ面における感光材料の搬送に使用される搬送領域の最大幅に相当する幅のシート材から構成されていることを特徴とするものである。
【０００８】
また請求項３に記載の発明は、請求項２に記載の写真処理装置用コントロールストリップ用部材において、リーダーを構成するシート材の表面に搬送ローラ対のローラー面の清掃機能が付与されていることを特徴とするものである。
【発明の効果】
【０００９】
請求項１及び２に記載の発明によれば、コントロールストリップス部材を搬送装置により搬送することで、現像処理部における処理液の状態の判定のためのテストプリント作成作業と搬送装置を構成する搬送ローラのクリーニング作業とが同時に行なえ、全体の作業性が良好となるのである。
【００１０】
しかもリーダが、搬送ローラのローラ面における感光材料の搬送に使用される搬送領域の最大幅に相当する幅のシート材から構成されていることから、搬送ローラのローラ面の使用領域全面を確実にクリーニングすることが出来るのである。
【００１１】
またコントロールストリップス部材により搬送ローラのクリーニング作業が行なえるので、従来のように搬送ローラをクリーニングするための印画紙やクリーニングシートを用意する必要がないのである。
【００１２】
また請求項３に記載の発明によれば、請求項１に記載の発明の効果に加えて、搬送ローラのローラ面のクリーニングをより一層確実に行なうことが出来る。
【発明を実施するための最良の形態】
【００１３】
図１において符号１で示す写真処理装置は、機体１０に、写真感光材料の一例である印画紙Ｐに画像を焼き付けるための焼付処理部２と、この焼付処理部２で画像が焼き付けられた印画紙Ｐを現像処理するための現像処理部３と、現像処理部３で現像処理された印画紙Ｐを乾燥するための乾燥処理部４と、乾燥処理された印画紙Ｐを排出するためのプリント排出部５とが搭載されている。
【００１４】
また以上の写真処理装置１には、印画紙Ｐを、焼付処理部２から現像処理部３、乾燥処理部４、プリント排出部５に順次搬送するための搬送装置６が搭載され、この搬送装置６には、駆動モータ（図示せず）を介して回転駆動する駆動側搬送ローラ６１とこの駆動側搬送ローラ６１に圧接する従動側搬送ローラ６２とから構成される搬送ローラ対６０が備えられている。
【００１５】
焼付処理部２には、現像処理済みのフィルムの各コマの画像をスキャニングするためのスキャナー２１、スキャナー２１で読み取った画像を表示したり、写真処理装置１の処理状態などを表示するためのディスプレイ装置２２、ロール状に巻かれた印画紙Ｐが格納されたペーパーマガジン２３、搬送装置６を介してペーパーマガジン２３から引き出される印画紙Ｐを所定長さにカットするためのカッター２４、所定長さにカットされた印画紙Ｐに画像を露光するための露光部２５などが備えられている。
【００１６】
露光部２５は、ライン状の露光ヘッドが備えられ、この露光ヘッドにより、デジタル画像データに基づいて処理されたデジタル画像を、搬送装置６により搬送中の印画紙Ｐに一定周期で１ラインずつデジタル露光するようにしている。
【００１７】
現像処理部３には、仕切板でいくつかに仕切られた処理槽３１が備えられており、この処理槽３１内には、現像液、漂白・定着液、安定化液等の各種処理液がそれぞれ個別に貯留されている。
【００１８】
また各処理槽３１には、処理ラック３２がそれぞれ装填されており、この処理ラック３２には、搬送装置６を構成する複数の搬送ローラー対６０が設けられ、この搬送ローラー対６０を介して印画紙Ｐが処理槽３１の各処理液内を順次通過するようにしている。
【００１９】
乾燥処理部４は、ヒーター４１が備えられており、搬送ローラー対６０で印画紙Ｐを搬送させる間に印画紙Ｐをヒーター４１によって適宜乾燥するようにしている。
【００２０】
また機体１０の上壁１１で且つ現像処理部３の入口と対応する部位には、後記するコントロールストリップス部材７がセットされたコントロールストリップスホルダ８を装着するための装着部１２が設けられている。
【００２１】
次にこの装着部１２に装着されるコントロールストリップス部材７及びコントロールストリップスホルダ８を説明する。
【００２２】
先ずコントロールストリップス部材７は、短冊状のコントロールストリップスペーパー７１と、このコントロールストリップスペーパー７１の長さ方向一端にスプライシングテープ７２によりスプライスされたリーダー７３とから成る。
【００２３】
コントロールストリップスペーパー７１は、既知の通り８９ｍｍ幅のテスト用印画紙にテストパターン画像を焼付処理して成るものである。
【００２４】
またリーダ７３は、搬送ローラ対６０のローラ面における印画紙Ｐの搬送に使用される搬送領域に相当する幅のシート材から構成されているのであって、図に示す実施形態では、このリーダー７３は、合成樹脂材料から形成されたフィルム状のシート材から形成され、具体的には、このリーダー７３を平面視矩形状に形成すると共に、その幅寸法Ｗ１、即ち、リーダー７３におけるその搬送方向と直交する方向の長さ寸法Ｗ１を、処理ラック３２に搭載されている搬送ローラ対６０のローラ面の長さＷ２よりも若干短く、且つ前述の写真処理装置１で使用される印画紙中、最も幅広である印画紙Ｐの幅Ｗ３よりも長くしている。
【００２５】
つまり、前述の幅寸法Ｗ１は、当該搬送装置で搬送処理可能な最大許容幅寸法に対応している。
【００２６】
またリーダー７３におけるその搬送方向の長さ寸法Ｗ４は、少なくとも搬送ローラ６１・６２のローラ面の全周長さよりも長くしている。
【００２７】
またコントロールストリップスホルダ８は、コントロールストリップスペーパー７１を収容するための遮光された収容室８１が備えられ、この収容室８１には、前述のコントロールストリップスペーパー７１がその先端部をホルダー８の外部に突出させた状態で予め収容されている。
【００２８】
そして、写真処理装置１における現像処理部３の処理液の状態を判定する作業を行なう時に、コントロールストリップスホルダ８から突出しているコントロールストリップスペーパー７１の先端にリーダー７３の一端をスプライシングテープ７２で貼り付け、しかる後、このコントロールストリップスホルダ８を機体１０の装着部１２に装填するようにしている。
【００２９】
以上の構成からなるコントロールストリップス部材７により、現像処理部３の処理液の状態を判定する際には、先ずコントロールストリップスホルダ８から突出しているコントロールストリップスペーパー７１の先端にリーダー７３の一端をスプライシングテープ７２で貼り付ける。そしてこのコントロールストリップスホルダ８を機体１０の装着部１２に装填して、コントロールストリップス部材７を搬送装置６を介して現像処理部３に送り込み、コントロールストリップスペーパー７１を現像処理すると共に、乾燥処理部４で乾燥して、処理液の状態を判定するためのテストプリントが作成されるのである。
【００３０】
そして、以上のごとく、コントロールストリップス部材７の搬送装置６による搬送時、搬送装置６の搬送ローラ対６０をリーダー７３が通過するに伴い、搬送ローラ対６０のローラ面に付着する汚れがリーダー７３に移って、ローラ面がクリーニングされるのであっる。
【００３１】
しかもリーダー７３の幅Ｗ１が、搬送ローラ６１・６２で搬送される最も幅広の印画紙Ｐの幅Ｗ３よりも長いことから、この搬送ローラ６１・６２のローラ面の使用領域全面のクリーニングを確実に行なうことが出来る。
【００３２】
斯くして、以上のコントロールストリップス部材７によれば、現像処理部３における処理液の状態の判定のためのテストプリント作成作業と搬送ローラのクリーニング作業とが同時に行なえ、全体としての作業性が良好となるのである。
【００３３】
またコントロールストリップス部材７により搬送ローラのクリーニング作業が行なえるので、搬送ローラ６１・６２をクリーニングするための印画紙やクリーニングシートを必要としない。
【００３４】
また前述のコントロールストリップス部材７では、例えば現像処理部３よりも上流側に振り分け搬送装置が搭載されて、現像処理部３で印画紙Ｐを２列搬送するようにした写真処理装置１に用いられた場合、振り分け搬送装置による振り分け制御を行なわずとも、図４に示すように、搬送ローラ６１・６２におけるローラ面の通過頻度の少ない2列間の搬送経路部分Ｗ５のクリーニングを行なうことが出来るし、しかも搬送ローラ６１・６２におけるローラ面の各印画紙Ｐの搬送に使用される搬送領域のクリーニングをも同時に行なうことが出来る。
【００３５】
以上の実施形態では、コントロールストリップス部材７を構成するリーダー７３を合成樹脂材料から成るフィルム状のシート材から形成して、搬送ローラのクリーニングを行なうようにしたが、このクリーニング効果をより一層高めるためには、前述のリーダー７３の表面に対して搬送ローラー６１・６２のローラー面の清掃機能を積極的に付与するのが好ましく、清掃機能を付与する例としては、例えばリーダー７３の表面に例えば粘着剤を塗付して、この粘着剤を介してローラー面をクリーニングする方法や、あるいは、リーダー７３の表面を粗面に形成して、ローラー面の汚れを擦り取る方法がある。
【図面の簡単な説明】
【００３６】
【図１】写真処理装置の構成図。
【図２】写真処理装置の要部の説明図。
【図３】コントロールストリップス部材と搬送ローラと印画紙との関係を示す説明図、
【図４】コントロールストリップス部材と搬送ローラと２列搬送される印画紙との関係を示す説明図、
【符号の説明】
【００３７】
１      写真処理装置
１０    機体
３      現像処理部
３１    処理槽
３２    処理ラック
６      搬送装置
６０    搬送ローラ対
６１    駆動側搬送ローラ
６２    従動側搬送ローラ
７      コントロールストリップス部材
７１    コントロールストリップスペーパー
７２    スプライシングテープ
７３    リーダー
８      コントロールストリップスホルダー
Ｐ      印画紙（写真感光材料）
【図１】
2006072056.tif 000003
【図２】
2006072056.tif 000004
【図３】
2006072056.tif 000005
【図４】
2006072056.tif 000006